(57)【特許請求の範囲】
【請求項１】
海底に沈めた状態で用いる人工魚礁であって、立体構造を構成する人工魚礁本体の底面に、長尺の湾曲した垂下突条片を、底面に沿って且つ底面から垂下突出させた状態で、複数個、前記底面の中心部から離れた位置で且つ中心部の周りに略等間隔の位置に、前記湾曲の開放方向が外向きになるようにして、取り付けてあることを特徴とする人工魚礁。
【請求項２】
立体構造を構成する人口魚礁本体の底面に対して前記底面の中心部から離れた位置に且つ中心部の周りに相互に略等間隔で取り付けられる複数個の滑動防止体からなる滑動防止装置であって、各滑動防止体は、人工魚礁本体の底面に結合されるための結合用片と、結合された状態で人工魚礁本体の底面に沿って且つ底面から垂下突出する長尺の垂下突条片とを少なくとも有し、各滑動防止体の長尺の垂下突条片は長手方向の中央を中心に９０度の開き角度で開放する構成とすると共に、各滑動防止体の垂下突条片の前記開放方向が外向きになるようにして人工魚礁体に取り付けられることを特徴とする滑動防止装置。
【発明の詳細な説明】
【０００１】
【発明の属する技術分野】
本発明は人工魚礁とそれに用いられる滑動防止装置に関する。
【０００２】
【従来の技術】
従来は、人工魚礁が波力や潮流による流体力によって海底を滑る現象、即ち滑動を防止するために、
▲１▼．魚礁を重くする。
▲２▼．魚礁が流れに当たる面積を小さくする（＝より骨細構造にする）。
▲３▼．図８、９に示すように、魚礁の底部にスパイク状の突起物を設ける等の方法、即ち人工魚礁本体１の底部にスパイク２を突出させて設ける方法が行われていた。
【０００３】
【発明が解決しようとする課題】
しかしながら、上記▲１▼の魚礁を重くする方法では、コンクリートを底部に充填したりする必要があるが、その充填に時間がかかる上に作業コストが大きい問題があった。重量を十分に重くしようとすると、構造強度上から底部以外の部分の部材の断面も大きくする必要が発生する場合がある。断面を大きくすれば更に重くなり、再び構造強度上の問題が生じるというイタチごっこが起こる。また製作地から組み立て・沈設地への運搬費も増大する。
また上記▲２▼の骨細構造にする方法では、魚類等を集めて滞留させるという魚礁本来の目的に適合しない。なぜなら、魚礁等を集めて滞留させる機能は、流体に魚礁が抵抗する程度、即ち刺激密度に関係すると考えられているからである。
一方、上記▲３▼のスパイク２等の突起物を人工魚礁本体１の底部に設ける方法は、魚礁の滑動を防止する１つの手段としては良い方法である。が、スパイク２のような突起物の場合には、魚礁の滑動を抑止する効果、即ち滑動に対する抵抗効果があまり大きくなく、適正な滑動防止効果を得るためには、図８、９に示すように多数の突起物を設ける必要があり、取り付け費用や突起物の製作費用等のコストが高くつく問題があった。
【０００４】
そこで、本発明は上記従来の人工魚礁の滑動防止方法の問題を解消し、製作や取り付けが簡単で、コストが安く、しかも滑動防止効果の大きい人工魚礁とそれに用いられる滑動防止装置の提供を課題とする。
【０００５】
【課題を解決するための手段】
上記課題を解決する本発明の人工魚礁は、海底に沈めた状態で用いる人工魚礁であって、立体構造を構成する人工魚礁本体の底面に、長尺の湾曲した垂下突条片を、底面に沿って且つ底面から垂下突出させた状態で、複数個、前記底面の中心部から離れた位置で且つ中心部の周りに略等間隔の位置に、前記湾曲の開放方向が外向きになるようにして、取り付けてあることを第１の特徴としている。
また本発明の滑動防止装置は、立体構造を構成する人口魚礁本体の底面に対して前記底面の中心部から離れた位置に且つ中心部の周りに相互に略等間隔で取り付けられる複数個の滑動防止体からなる滑動防止装置であって、各滑動防止体は、人工魚礁本体の底面に結合されるための結合用片と、結合された状態で人工魚礁本体の底面に沿って且つ底面から垂下突出する長尺の垂下突条片とを少なくとも有し、各滑動防止体の長尺の垂下突条片は長手方向の中央を中心に９０度の開き角度で開放する構成とすると共に、各滑動防止体の垂下突条片の前記開放方向が外向きになるようにして人工魚礁体に取り付けられることを第２の特徴としている。
【０００６】
【発明の実施の形態】
以下、本発明の実施の形態を図面を参照しながら更に説明する。図１〜４は本発明の第１の実施形態を示す図で、図１は滑動防止装置を構成する要素である滑動防止体の全体斜視図、図２は人工魚礁本体に滑動防止装置を取り付けた状態の正面図、図３は人工魚礁本体に滑動防止装置を取り付けた状態の底面図、図４は人工魚礁本体を構成する１個のセルの斜視図である。また図５〜７は本発明の第２の実施形態を示す図で、図５は滑動防止体の全体斜視図、図６は人工魚礁本体に滑動防止装置を取り付けた状態の正面図、図７は人工魚礁本体に滑動防止装置を取り付けた状態の底面図である。
【０００７】
先ず図１〜４を参照して、本発明の第１の実施形態を説明する。
滑動防止装置を構成する主要要素である滑動防止体１０は、垂下突条片１１と結合用片１２と垂直リブ１３とからなる。
前記垂下突条片１１に対して、結合用片１２はアングル材の如く、直角の角度を持って一体に構成されている。この垂下突条片１１と結合用片１２からなる滑動防止体１０は長尺に構成され、長手方向の中央を中心として両開放端に向けて９０度の開き角度で曲げられている。
垂下突条片１１には１乃至複数の垂直リブ１３が設けられ、その上端は結合用片１２と結合されている。
結合用片１２には人工魚礁本体２０との結合用ボルト穴１４が適当な間隔で設けられている。
【０００８】
前記滑動防止体１０が取り付けられる人工魚礁本体２０は、立方体形状のセル２１を複数個、相互に結合して立体化したものである。各セル２１はその６面の各面において、周辺部２１ａを除く中央部が大きく開放された窓２１ｂとなっており、魚等が窓２１ｂから自由に内部に出入りできるようになっている。前記周辺部２１ａには、セル２１同士の結合を行うため及びセル２１と前記滑動防止体１０とを結合するための兼用の結合用ボルト穴２１ｃが設けられている。このセル２１の結合用ボルト穴２１ｃは、滑動防止体１０が結合される際には、滑動防止体１０の結合用ボルト穴１４に対応して、相互に重なる。
【０００９】
滑動防止装置は、本実施形態においては、図３を参照して、４個の滑動防止体１０を用いて構成している。即ち、人工魚礁本体２０の底面の４隅に位置するセル２１に対してそれぞれ１個の滑動防止体１０を適用し、滑動防止体１０の結合用片１２をセル２１の底面の周辺部２１ａに接面して、両結合用ボルト穴１４、２１ｃを位置合わせして、ボルト３０を貫通させ、図示しないナットで結合するようにしている。
前記各滑動防止体１０は、その長手方向の中央を中心として９０度の開き角度θで開いた両翼部が外向きになるように取り付けている。より詳しく言えば、各滑動防止体１０は、人工魚礁本体２０の底面の中心部Ｃ（この点の部分には何もない）から一定距離だけ離れた周辺位置で、且つ中心部Ｃの周りに相互に等間隔で、しかも滑動防止体１０の中央から両開放端にかけての両翼部が、前記中心部Ｃからの放射状線Ｌに対して対称となって広がるように取り付けられている。
【００１０】
以上のようにして複数の滑動防止体１０からなる滑動防止装置を取り付けた人工魚礁を海底に沈めると、人工魚礁の底面から突出した各前記滑動防止体１０の垂下突条片１１が海底に食い込んだ状態に着底する。複数個の垂下突条片１１が人工魚礁本体２０の底面の中心部Ｃから離れた位置で、中心部Ｃの周りに相互に等間隔で設けられると共に、各垂下突条片１１の開放方向が外向きに配置されることで、波力、潮流力による滑動力がどの方向から人工魚礁に加わっても、この滑動力を受け止めて、滑動を制止させる。特に各垂下突条片１１が中央から両開放端に向けて外向きに広がった状態に配置されているので、人工魚礁が滑動されんとする際には、海底の砂等が垂下突条片１１の両開放端側から中央側へ移動してきて塞き止められる結果、滑動に対しての抵抗力が急速に上昇して、それ以上の滑動を制止する。図８、９に示す従来のスパイク２を用いる場合には、砂等がスパイク２間を容易にすり抜けていくので、滑動に対する抵抗力が上昇しないのである。
また前記垂下突条片１１に設けられた垂直リブ１３は、滑動防止体１０の補強の役割をなす他に、人工魚礁が滑動されんとする際に砂等が垂下突条片１１を側方へすり抜けていくのを阻止することで、人工魚礁の滑動に対する抵抗力を一層増大化する。
【００１１】
前記滑動防止体１０の結合用片１２は、人工魚礁本体２０の底部に結合させるための機能を果せばよく、従って必ずしも図面に示す既述の形状をしている必要はない。即ち、垂下突条片１１の全長に沿って結合用片１２が設けられる必要はない。また垂下突条片１１に対して直角の角度を持って設けられなくとも、人工魚礁本体２０に結合できる構成であればよい。
また滑動防止体１０の垂下突条片１１の開き角度θは９０度としたが、これは矩形の面を有するセル２１に合わせて、取り付けやすくしたものである。砂等の塞き止め効果を考えれば、前記開き角度θは９０〜１８０度がよい。
また前記セル２１に設けられる結合用ボルト穴２１ｃは、セル２１が人工魚礁本体２０の組み立ての際にどの位置、又はどの向きに配置されても、隣接するセル２１の結合用ボルト穴２１ｃと重なるように、また垂下突条片１１の結合用ボルト穴１４と対応して重なるように、セル２１の全周辺部２１ａに設けるようにしている。前記セル２１の結合用ボルト穴２１ｃは、コンクリート等で型成形する際に同時に構成することで容易に得ることができる。
【００１２】
図５〜７を参照して本発明の第２の実施形態を説明する。
滑動防止装置を構成する主要要素である滑動防止体４０は、垂下突条片４１と結合用片４２と垂直リブ４３とからなる。
前記垂下突条片４１に対して結合用片４２は、第１の実施態様の場合と同様に、アングル材の如く、直角の角度を持って一体に構成されている。垂下突条片４１と結合用片４２からなる滑動防止体４０は長尺に構成され、長手方向の中央部とその両翼部とからなる。
垂下突条片４１には１乃至複数の垂直リブ４３が設けられ、その上端は結合用片４２と結合されている。
結合用片４２には人工魚礁本体４０との結合用ボルト穴４４が適当な間隔で設けられている。
前記垂下突条片４１は中央部に対して両翼部がそれぞれ１２０度の開き角度θを持って構成されている。また垂下突条片４１の中央部と両翼部の長さは等分としてあり、正六角形の連続する３辺からなるような形状となっている。このような形状とすることで。次に述べる底面が正六角形のセルの底面に沿って容易に取り付けることができる。
【００１３】
前記滑動防止体４０が取り付けられる人工魚礁本体５０は、正六角筒からなる立体形状のセル５１を複数個、相互にその側面で結合して立体化したものである。各セル５１はその底面、天面、６個の側面の各面において、周辺部５１ａを除く中央部が大きく開放された窓５１ｂとなっており、魚等が窓５１ｂから自由に内部に出入りできるようになっている。前記セル５１の底面、天面、６側面の周辺部５１ａには、結合用ボルト穴５１ｃが設けられている。この結合用ボルト穴５１ｃのうち、セル５１の天面と底面にある結合用ボルト穴５１ｃは上下のセル５１と結合するための穴であり、また人工魚礁本体５０の底部に位置する複数のセル５１のうちの幾つかのセル５１の底面の結合用ボルト穴５１ｃは前記滑動防止体４０の結合用ボルト穴４４に対応して重なることになる。このように結合用ボルト穴５１ｃはセル５１同士の結合と、セル５１と滑動防止体４０との結合の何れもできるように兼用のボルト穴として構成されている。
【００１４】
滑動防止装置は、本実施形態においては、図７を参照して、３個の滑動防止体４０を用いて構成している。即ち、人工魚礁本体５０の底面に対して、滑動防止体４０の結合用片４２をセル５１の底面の周辺部５１ａに接面して、両結合用ボルト穴４４、５１ｃを位置合わせして、ボルト６０を貫通させ、図示しないナットで結合するようにしている。
前記各滑動防止体４０は、その長手方向に中央部とそれぞれ６０度の開き角度θで開いた両翼部が外向きになるように取り付けている。より詳しく言えば、各滑動防止体４０は、人工魚礁本体５０の底面の中心部Ｃ（この点の部分には何もない）から一定距離だけ離れた周辺位置で、且つ中心部Ｃの周りに相互に１２０度の等間隔で、しかも滑動防止体４０の両翼部が、前記中心部Ｃから中央部の中心を通る放射状線に対して対称となって広がるように取り付けられている。
【００１５】
以上のようにして複数の滑動防止体４０からなる滑動防止装置を取り付けた人工魚礁を海底に沈めると、人工魚礁の底面から突出した各前記滑動防止体４０の垂下突条片４１が海底に食い込んだ状態で着底する。複数個の垂下突条片４１が人工魚礁本体５０の底面の中心部Ｃから離れた位置で、且つ中心部Ｃの周りに相互に等間隔で設けられると共に、各垂下突条片４１の開放方向が外向きにされて配置されることで、波力、潮流力による滑動力がどの方向から人工魚礁に加わっても、この滑動力を受け止めて、滑動を制止させる。特に各垂下突条片４１が中央部とそこから外向きに広がった両翼部とからなるので、人工魚礁が滑動されんとする際には、海底の砂等が垂下突条片４１の両翼部に沿って中央部に移動してきて塞き止められる結果、滑動に対しての抵抗力が急速に上昇して、それ以上の滑動を制止する。よって既述したように従来のスパイク２を用いる場合に比べて、砂等が容易にすり抜けていくのを制止することで、滑動に対する抵抗力を十分に向上させることができるのである。
また前記垂下突条片４１に設けられた垂直リブ４３は、滑動防止体４０の補強の役割をなす他に、人工魚礁が滑動されんとする際に砂等が垂下突条片４１を側方へすり抜けていくのを阻止することで、人工魚礁の滑動に対する抵抗力を一層増大化する点は、上記第１の実施形態の場合と同様である。
【００１６】
前記滑動防止体４０の結合用片４２は、人工魚礁本体５０の底部に結合させるための機能を果せばよく、従って必ずしも垂下突条片４１の全長に沿って結合用片４２が設けられる必要はない。また垂下突条片４１に対して直角の角度を持って設けられなくとも、人工魚礁本体５０に結合できる構成であればよい。
また滑動防止体４０の垂下突条片４１の中央部に対する両翼部のそれぞれの開き角度θは１２０度としたが、これは正六角形の底面を有するセル５１に合わせて、取り付けやすくしたものである。砂等の塞き止め効果を考えれば、前記開き角度θは９０〜１８０度とすることができる。
また前記セル５１に設けられる結合用ボルト穴５１ｃは、セル５１が人工魚礁本体５０の組み立ての際にどの位置、又はどの向きに配置されても、隣接するセル５１の結合用ボルト穴５１ｃと重なるように、また垂下突条片４１の結合用ボルト穴４４と対応して重なるように、セル５１の底面、天面、６側面の全周辺部５１ａに設けるようにしている。前記セル５１の結合用ボルト穴５１ｃは、コンクリート等で型成形する際に同時に構成することで容易に得ることができる。
また上記第１〜２の実施形態において、垂下突条片１１、４１は中央或いは中央部から両翼が一定の開き角度で屈曲されているが、長尺の垂下突条片は中央付近から対称に徐々に湾曲された形状であってもよい。また左右両翼部の長さは同じ長さが好ましいが、異なっていてもよい。
【００１７】
【発明の効果】
本発明は以上の構成、作用よりなり、請求項１に記載の人工魚礁によれば、海底に沈めた状態で用いる人工魚礁であって、立体構造を構成する人工魚礁本体の底面に、長尺の湾曲した垂下突条片を、底面に沿って且つ底面から垂下突出させた状態で、複数個、前記底面の中心部から離れた位置で且つ中心部の周りに略等間隔の位置に、前記湾曲の開放方向が外向きになるようにして、取り付けてあるので、
底部に突起状のスパイクを設ける場合に比べて、滑動に対する抵抗力を格段に向上させた人工魚礁を提供することができる。しかもスパイクを取り付ける場合はかなりの量を取り付けなければ効果が少ないのに比べ、ボルト等による取り付け個所数が少なく、作業も容易で短時間に低コストで行うことができる。
また請求項２に記載の人工魚礁に用いられる滑動防止装置によれば、立体構造を構成する人口魚礁本体の底面に対して、前記底面の中心部から離れた位置に且つ中心部の周りに相互に略等間隔で取り付けられる複数個の滑動防止体からなる滑動防止装置であって、各滑動防止体は、人工魚礁本体の底面に結合されるための結合用片と、結合された状態で人工魚礁本体の底面に沿って且つ底面から垂下突出する長尺の垂下突条片とを少なくとも有し、各滑動防止体の長尺の垂下突条片は長手方向の中央を中心に９０度の開き角度で開放する構成とすると共に、各滑動防止体の垂下突条片の前記開放方向が外向きになるようにして人工魚礁体に取り付けられることとしたので、
立方体形状のセル等、底面が矩形となっているセルの組み合わせから構成された人口魚礁本体に対して、９０度に開いた滑動防止体を非常に容易に取り付けることができる。しかも９０度の開放方向を外向きに容易に配置することができる。即ち、立方体形状を呈するセルからなる人工魚礁本体に適応して、その取り付けが容易で、しかも各活動防止体の開放方向が外向きとされることで、滑動防止効果を大とすることができる。
【図面の簡単な説明】
【図１】第１の実施形態を示し、滑動防止装置を構成する要素である滑動防止体の全体斜視図である。
【図２】第１の実施形態を示し、人工魚礁本体に滑動防止装置を取り付けた状態の正面図である。
【図３】第１の実施形態を示し、人工魚礁本体に滑動防止装置を取り付けた状態の底面図である。
【図４】第１の実施形態を示し、人工魚礁本体を構成する１個のセルの斜視図である。
【図５】第２の実施形態を示し、滑動防止装置を構成する要素である滑動防止体の全体斜視図である。
【図６】第２の実施形態を示し、人工魚礁本体に滑動防止装置を取り付けた状態の正面図である。
【図７】第２の実施形態を示し、人工魚礁本体に滑動防止装置を取り付けた状態の底面図である。
【図８】人工魚礁本体に従来の滑動防止装置であるスパイク状の突起物を取り付けた状態の正面図である。
【図９】人工魚礁本体に従来の滑動防止装置であるスパイク状の突起物を取り付けた状態の底面図である。
【符号の説明】
１０  滑動防止体
１１  垂下突条片
１２  結合用片
１３  垂直リブ
１４  結合用ボルト穴
２０  人工魚礁本体
２１  セル
２１ａ  周辺部
２１ｂ  窓
２１ｃ  結合用ボルト穴
３０  ボルト
４０  滑動防止体
４１  垂下突条片
４２  結合用片
４３  垂直リブ
４４  結合用ボルト穴
５０  人工魚礁本体
５１  セル
５１ａ  周辺部
５１ｂ  窓
５１ｃ  結合用ボルト穴
Ｃ    中心部
θ    開き角度
Ｌ    放射状線
【図１】
0004649031.tif 000002
【図２】
0004649031.tif 000003
【図３】
0004649031.tif 000004
【図４】
0004649031.tif 000005
【図５】
0004649031.tif 000006
【図６】
0004649031.tif 000007
【図７】
0004649031.tif 000008
【図８】
0004649031.tif 000009
【図９】
0004649031.tif 000010